(57)【要約】【課題】固定部材に裏側から係合して係止具を仮止め可能にする爪部を備えるものでありながら、爪部の弾性を確保しつつ任意の材質で係止具本体を形成可能にする。【解決手段】所定の係止具１００を所定の固定部材３００に形成された孔部３０１に取り付ける係止具取付構造であって、係止具１００は、押し込み操作される頭部１１１と孔部３０１を貫通する軸部１１２とが形成された係止具本体１１０と、孔部３０１を変形状態で通過するとともに復元状態で固定部材３００に裏側から係合する爪部１２１が形成された弾性係合体１２０と、を備え、弾性係合体１２０は、軸部１１２に着脱可能に装着される。【選択図】図７
2011217917.tif 000002
【特許請求の範囲】
【請求項１】
所定の係止具を所定の固定部材に形成された孔部に取り付ける係止具取付構造であって、
前記係止具は、押し込み操作される頭部と前記孔部を貫通する軸部とが形成された係止具本体と、前記孔部を変形状態で通過するとともに復元状態で前記固定部材に裏側から係合する爪部が形成された弾性係合体と、を備え、
前記弾性係合体は、前記軸部に着脱可能に装着されることを特徴とする係止具取付構造。
【請求項２】
前記弾性係合体は、前記軸部を把持可能に一部を切り欠いた環状に形成され、弾性変形により前記係止具本体に着脱される請求項１記載の係止具取付構造。
【請求項３】
前記弾性係合体は、前記軸部と凹凸嵌合する嵌合部を有し、該凹凸嵌合によって前記軸部の軸方向及び周方向への移動が規制される請求項２記載の係止具取付構造。
【請求項４】
前記係止具本体は、形状の異なる前記頭部と、同一形状の前記軸部とを備える複数種類からなり、
前記弾性係合体は、複数種類の前記係止具本体に対して形状が同一の一種類からなる請求項１〜３のいずれか一項に記載の係止具取付構造。
【請求項５】
前記係止具本体は、前記軸部に裏側から螺入される所定のネジ材を介して前記固定部材に固定可能に形成されるとともに、前記ネジ材の螺入による前記係止具の回転を規制する回転規制部を備える請求項１〜４のいずれか一項に記載の係止具取付構造。
【請求項６】
前記回転規制部は、前記軸部の軸方向に沿って突出形成されるリブであり、該リブが前記固定部材に形成される溝部に係合することにより、前記ネジ材の螺入による前記係止具の回転を規制するとともに、前記固定部材に対する前記係止具の取付角度位置を位置決めする請求項５記載の係止具取付構造。
【請求項７】
前記ネジ材は、平ワッシャにより前記爪部の弾性変形を阻止し、前記爪部と前記固定部材との係合解除を規制する請求項５又は６記載の係止具取付構造。
【請求項８】
所定の係止具を所定の固定部材に形成された孔部に取り付ける係止具取付構造を有する遊技機であって、
前記係止具取付構造が、請求項１〜７のいずれか一項に記載の係止具取付構造であることを特徴とする遊技機。
【請求項９】
複数の前記係止具を介して、前記固定部材に遊技者に面して取り付けられる所定の板状部材を備え、
前記板状部材は、円弧形状を有するとともに、前記爪部とともに前記軸部を貫通可能とし前記頭部を貫通不能とする水平方向に開口された複数の止め孔部を有し、
前記各止め孔部は、前記係止具を前記固定部材の前記孔部に対して遊技者側から押し込み操作したときに、前記頭部裏面の当接する当該止め孔部周面の傾斜角がそれぞれ異なる位置に開口され、
前記係止具本体は、前記各止め孔部周面に当接する裏面角度の異なる前記頭部と、同一形状の前記軸部とを備える複数種類からなり、
前記弾性係合体は、複数種類の前記係止具本体に対して形状が同一の一種類からなる請求項８記載の遊技機。
【発明の詳細な説明】
【技術分野】
【０００１】
本発明は、所定の係止具を所定の固定部材に形成された孔部に取り付ける係止具取付構造と、このような係止具取付構造を用いる遊技機に関する。
【背景技術】
【０００２】
スロットマシンなどの遊技機では、所定の係止具を所定の固定部材に形成された孔部に取り付ける係止具取付構造が広く用いられている。
例えば、特許文献１には、化粧パネルの孔部を介して固定部材（カバー部材）の孔部に取り付けられる係止具が示されており、該係止具に固定部材の裏側からネジ材を螺入することにより、化粧パネルが固定部材に固定されるようになっている。
しかしながら、このような係止具は、化粧パネルを固定部材に固定する組立作業に際し、前面側から係止具を押えつつ裏側からネジ材を螺入する必要があるので、組立性に劣るという問題があった。
【０００３】
そこで、特許文献２に示されるように、固定部材に仮止め可能に係合する係合爪部を備える係止具も提案されている。
このような係止具によれば、化粧パネルなどを固定部材に固定する組立作業に際し、前面側から係止具を押えることなく、裏側からネジ材を螺入することができるので、組立性が向上するという利点がある。
【先行技術文献】
【特許文献】
【０００４】
【特許文献１】特開２００８−２９５５０８号公報
【特許文献２】特開２００５−２４５７１６号公報
【発明の概要】
【発明が解決しようとする課題】
【０００５】
しかしながら、特許文献２に示されるような係合爪部は、固定部材の孔部を変形状態で通過するとともに復元状態で固定部材に裏側から係合するように弾性変形自在に形成する必要があるので、係止具の材質が限定されてしまうという問題があった。
すなわち、上記のような係止具は、適度な弾性を有する樹脂で形成するのが一般的であり、その他の任意の材質で形成することは困難であった。
また、適度な弾性を有する樹脂の表面にメッキや蒸着により金属の薄膜を形成し、係止具の外観意匠を高めることも考えられるが、メッキや蒸着をすると係合爪部の弾性が失われるという問題がある。
【０００６】
本発明は、上記の事情にかんがみなされたものであり、固定部材に裏側から係合して係止具を仮止め可能にする爪部を備えるものでありながら、爪部の弾性を確保しつつ任意の材質で係止具本体を形成することができる係止具取付構造及び遊技機の提供を目的とする。
【課題を解決するための手段】
【０００７】
上記目的を達成するため本発明の係止具取付構造は、所定の係止具を所定の固定部材に形成された孔部に取り付ける係止具取付構造であって、前記係止具は、押し込み操作される頭部と前記孔部を貫通する軸部とが形成された係止具本体と、前記孔部を変形状態で通過するとともに復元状態で前記固定部材に裏側から係合する爪部が形成された弾性係合体と、を備え、前記弾性係合体は、前記軸部に着脱可能に装着される構成としてある。
【０００８】
また、本発明の遊技機は、所定の係止具を所定の固定部材に形成された孔部に取り付ける係止具取付構造を有する遊技機であって、前記係止具取付構造を、上記の係止具取付構造としてある。
【発明の効果】
【０００９】
以上のように、本発明によれば、固定部材に裏側から係合して係止具を仮止め可能にする爪部を備えるものでありながら、爪部の弾性を確保しつつ任意の材質で係止具本体を形成することができる。
【図面の簡単な説明】
【００１０】
【図１】本発明の実施形態に係るスロットマシンの外観を示す正面図である。
【図２】本発明の実施形態に係るスロットマシンの内部を示す斜視図である。
【図３】本発明の実施形態に係るスロットマシンの前扉組立工程を示す分解斜視図である。
【図４】本発明の実施形態に係るスロットマシンの前扉組立工程を示す要部拡大分解斜視図である。
【図５】本発明の実施形態に係る係止具の係止具本体を示す図であり、（ａ）は、係止具本体の平面図、（ｂ）は、係止具本体の正面図、（ｃ）は、係止具本体の側面図である。
【図６】本発明の実施形態に係る係止具の弾性係合体を示す図であり、（ａ）は、弾性係合体の平面図、（ｂ）は、弾性係合体の正面図、（ｃ）は、弾性係合体の側面図である。
【図７】本発明の実施形態に係る係止具の弾性係合体非装着状態を示す分解斜視図である。
【図８】本発明の実施形態に係る係止具の弾性係合体装着状態を示す斜視図である。
【図９】本発明の実施形態に係る係止具の種類を示す平面図及び側面図である。
【図１０】本発明の実施形態に係る固定部材の孔部を示す図であり、（ａ）は、孔部の正面図、（ｂ）は、孔部のＡ−Ａ断面図、（ｃ）は、孔部のＢ−Ｂ断面図である。
【図１１】本発明の実施形態に係る固定部材の孔部に係止具を取り付けた状態を示す図であり、（ａ）は、孔部及び係止具の裏面図、（ｂ）は、孔部及び係止具のＡ−Ａ断面図、（ｃ）は、孔部及び係止具のＢ−Ｂ断面図である。
【図１２】本発明の実施形態に係る係止具の取り外し方法を示す図であり、（ａ）は、孔部及び係止具の裏面図、（ｂ）は、ネジ材を緩めた状態を示すＡ−Ａ断面図、（ｃ）は、ネジ材を前方に押圧して爪部の係合を解除した状態を示すＡ−Ａ断面図、（ｄ）は、ネジ材をさらに前方に押圧して爪部が爪部貫通孔を通過した状態を示すＡ−Ａ断面図である。
【発明を実施するための形態】
【００１１】
以下、本発明の好ましい実施形態について説明する。
遊技機には、パチンコ機、スロットマシン、アレンジボール、雀球など様々な機類があるが、本実施形態では、メダルを遊技媒体とするスロットマシンに本発明の係止具取付構造を適用した場合について、図面を参照しつつ説明する。
【００１２】
［スロットマシン本体］
図１は、本発明の実施形態に係るスロットマシンの外観を示す正面図、図２は、本発明の実施形態に係るスロットマシンの内部を示す斜視図である。
これらの図に示すように、本実施形態のスロットマシン１は、複数のリール２１ａ，２１ｂ，２１ｃを回転させることによって遊技媒体であるメダルを獲得することができる回胴式遊技機を構成している。
【００１３】
スロットマシン１は、内部がマイクロコンピュータ等で構成された制御部３０及び必要な機械、装置等を収納する正面側が開口した筐体１ｂと、筐体１ｂの正面側を開閉可能に覆う前扉１ａとで構成されている。
【００１４】
前扉１ａは、図２に示すように、スロットマシン１の筐体１ｂにヒンジ等を介して開閉可能に取り付けられる扉体で、この前扉１ａに遊技操作に係る操作部４が設けられて、スロットマシン１の正面部を構成している。
【００１５】
操作部４には、メダルが投入されるメダル投入口４０と、各リール２１ａ，２１ｂ，２１ｃの回転を始動させるスタートレバー４１と、回転している各リール２１ａ，２１ｂ，２１ｃを停止させる３つの停止ボタン４２ａ，４２ｂ，４２ｃが設けられている。
【００１６】
前扉１ａには、各リール２１ａ，２１ｂ，２１ｃに表示された図柄を視認可能とする表示窓５が、例えば操作部４の上側に設けられる。また、前扉１ａには、効果音等が出力されるスピーカ６が、例えば操作部４の下側に設けられる。
【００１７】
筐体１ｂの中央には、リール２１ａ，２１ｂ，２１ｃと、各リール２１ａ，２１ｂ，２１ｃを回転させる図示しないモータ及び回転位置を検出するセンサ等を備えるドラムユニット２が設けられる。
【００１８】
また、筐体１ｂの下部には、メダルを貯留・払出するメダル払出装置８が設けられる。メダル払出装置８には、メダルを貯留するホッパー８０が設けられ、メダル投入口４０より投入されたメダルは、メダルセレクター８１により検出されるとともに、ホッパー８０に誘導されるようになっている。
【００１９】
スロットマシン１では、遊技者によりメダル投入口４０からメダルが投入され、スタートレバー４１が操作されると、スタート信号が制御部３０に入力される。スタート信号が入力されると、制御部３０では、所定の遊技プログラムに従いドラムユニット２を駆動して、各リール２１ａ，２１ｂ，２１ｃを回転させる制御を行う。
【００２０】
さらに、制御部３０では、例えばボーナスや小役等を抽せんする内部抽せんが行われ、各停止ボタン４２ａ，４２ｂ，４２ｃが押下操作されたタイミングに基づき、抽せん結果に応じた図柄の組合せで停止するよう、回転している各リール２１ａ，２１ｂ，２１ｃの停止制御を行う。
【００２１】
また、制御部３０は、各リール２１ａ，２１ｂ，２１ｃを所定の図柄の組合せで停止させると、メダル払出装置８で所定数のメダルを払い出す制御を行い、メダルをメダル払出口８２から払い出す。
【００２２】
［係止具取付構造］
図３は、本発明の実施形態に係るスロットマシンの前扉組立工程を示す分解斜視図、図４は、本発明の実施形態に係るスロットマシンの前扉組立工程を示す要部拡大分解斜視図である。
これらの図に示すように、スロットマシン１の正面には、遊技者に面して化粧パネル９が取り付けられている。この化粧パネル９は、板状部材の一例であり、全体が円弧形状に形成され、前扉１ａの正面略全域（操作部４、表示窓５、スピーカ６などを除く）を覆う透光性の樹脂パネルであり、側面視で上側及び下側が前方に進出し、かつ中間部が後方へ退避する湾曲面を有している。
本発明の係止具取付構造は、上記の化粧パネル９を前扉１ａに固定する箇所に適用されており、以下、化粧パネル９の固定箇所に適用された本発明の実施形態に係る係止具取付構造について、図３〜図１２を参照して説明する。
【００２３】
図３及び図４に示すように、化粧パネル９の各固定箇所は、係止具１００及びネジ材２００を用いて、前扉１ａ側の固定部材３００に固定されるようになっている。
化粧パネル９及び固定部材３００には、各固定箇所に対応する複数の孔部９１、３０１が形成されている。そして、化粧パネル９の孔部９１を介して固定部材３００の孔部３０１に係止具１００を取り付けるとともに、固定部材３００の裏側から係止具１００にネジ材２００を螺入することにより、化粧パネル９が固定部材３００に固定されるようになっている。
【００２４】
また、係止具１００には、固定部材３００の孔部３０１に取り付けられた際、係止具１００を仮止め状態にする爪部１２１を備えている。この爪部１２１は、固定部材３００の孔部３０１を変形状態で通過するとともに復元状態で固定部材３００に裏側から係合することにより、係止具１００を固定部材３００に仮止め可能としている。
このような係止具１００によれば、化粧パネル９を固定部材３００に固定する組立作業に際し、前面側から係止具１００を押えることなく、裏側からネジ材２００を螺入することができるので、組立性が向上するという利点がある。
【００２５】
図５は、本発明の実施形態に係る係止具の係止具本体を示す図であり、（ａ）は、係止具本体の平面図、（ｂ）は、係止具本体の正面図、（ｃ）は、係止具本体の側面図、図６は、本発明の実施形態に係る係止具の弾性係合体を示す図であり、（ａ）は、弾性係合体の平面図、（ｂ）は、弾性係合体の正面図、（ｃ）は、弾性係合体の側面図、図７は、本発明の実施形態に係る係止具の弾性係合体非装着状態を示す分解斜視図、図８は、本発明の実施形態に係る係止具の弾性係合体装着状態を示す斜視図である。
【００２６】
これらの図に示すように、本発明の実施形態に係る係止具１００は、係止具本体１１０と弾性係合体１２０との２部材で構成されている。
係止具本体１１０は、押し込み操作される頭部１１１と、固定部材３００の孔部３０１を貫通する軸部１１２とを備えている。
また、弾性係合体１２０は、固定部材３００の孔部３０１を変形状態で通過するとともに復元状態で固定部材３００に裏側から係合する爪部１２１を備えている。
そして、弾性係合体１２０を、係止具本体１１０の軸部１１２に着脱可能に装着することにより、係止具１００が構成されるようになっている（図７、図８参照）。
【００２７】
つまり、本発明の実施形態に係る係止具１００は、外部に露出する係止具本体１１０と、爪部１２１が形成される弾性係合体１２０とを別体として備え、係止具本体１１０の軸部１１２に弾性係合体１２０を装着して構成されるので、係止具１００を仮止め可能にする爪部１２１を備えるものでありながら、爪部１２１の弾性を確保しつつ任意の材質で係止具本体１１０を形成することが可能になる。
例えば、弾性係合体１２０は、弾性率に優れたエンジニアプラスチック（例えば、ＰＯＭ）で形成する一方、係止具本体１１０は、金属や意匠性を有する表面処理が可能な樹脂（例えば、ＡＢＳ）などの任意の材質で形成することができる。また、係止具本体１１０においては、表面にメッキや蒸着により金属の薄膜を形成してもよい。特に、本実施形態のように、外観意匠を重視するような使用、すなわち、係止具本体１１０の頭部１１１を外部に露出させて用いる場合に最適であり、係止具本体１１０を形成する材質の選択肢を広げることができる。
【００２８】
本実施形態の弾性係合体１２０は、係止具本体１１０の軸部１１２を把持する把持部１２２と、該把持部１２２から後方に延出する左右一対の爪部１２１を備えている。
把持部１２２は、係止具本体１１０の軸部１１２を把持可能に環状の一部を切り欠いたＣ文字状に形成されており、弾性変形により係止具本体１１０に着脱されるようになっている。
このようにすると、弾性係合体１２０が有する弾性を利用して、係止具本体１１０と弾性係合体１２０を結合させることができるので、ネジなどの結合部材を用いる場合に比べて構造の簡略化や部品点数の削減が可能になる。
【００２９】
また、本実施形態の弾性係合体１２０は、係止具本体１１０の軸部１１２と凹凸嵌合する嵌合部を有し、この凹凸嵌合によって軸部１１２の軸方向及び周方向への移動が規制されるようになっている。
本実施形態の嵌合部は、把持部１２２の内周部に突出形成される凸部１２３と、上下の切欠部１２２ａ，１２２ｂとで形成され、この凸部１２３を、軸部１１２の外周部に形成される凹部１１３に凹凸嵌合させることにより、軸部１１２に対する弾性係合体１２０の軸方向への移動が規制されるとともに、切欠部１２２ａ，１２２ｂを軸部１１２の軸方向に沿って突出形成される回転規制部１１５、１１６にそれぞれ凹凸嵌合させることにより、軸部１１２に対する弾性係合体１２０の周方向への移動が規制されるようになっている。
このようにすると、弾性係合体１２０を弾性変形により係止具本体１１０に装着するものでありながら、軸部１１２に対する弾性係合体１２０の軸方向及び周方向への移動を規制し、係止具本体１１０と弾性係合体１２０を一体的に結合させることができる。
【００３０】
図９は、本発明の実施形態に係る係止具の種類を示す平面図及び側面図である。
この図に示すように、本実施形態の係止具１００には、軸部１１２に対する頭部１１１の角度を異ならせた複数種類の係止具本体１１０ａ〜１１０ｄが含まれている。これらの係止具本体１１０ａ〜１１０ｄは、各固定箇所（各孔部９１）における化粧パネル９の表面角度に応じて頭部１１１の角度が設定されており、所定の固定箇所に対して専用の係止具１００Ａ〜１００Ｄを取り付ける必要がある。
【００３１】
具体的には、化粧パネル９の固定箇所となる各孔部９１は、止め孔部の一例であり、爪部１２１とともに軸部１２２を貫通可能とし頭部１１１を貫通不能とする水平方向に開口されるとともに、係止具１００を固定部材３００の孔部３０１に対して遊技者側から押し込み操作したときに、頭部１２１裏面の当接する当該孔部９１周面（表面）の傾斜角がそれぞれ異なる位置に開口されている（図３参照）。そうすると、各孔部９１周面（表面）に頭部１２１裏面を隙間なく当接させるためには、係止具本体１１０を各孔部９１に対応した専用品とする必要がある。
そこで、係止具本体１１０ａ〜１１０ｄは、軸部１２２を同一形状としながら、裏面角度のそれぞれ異なる頭部１２１を有している。一方、これらに装着される弾性係合体１２０は、係止具本体１１０ａ〜１１０ｄの軸部１２２が同一形状であるため、複数種類の係止具本体１１０ａ〜１１０ｄに対して形状が同一の一種類としてある。
【００３２】
すなわち、本実施形態の係止具１００は、係止具本体１１０ａ〜１１０ｄを、固定部材３００に固定する部材（本実施形態では化粧パネル９）の形状（本実施形態では表面角度）に応じて、頭部１１の形状を任意に変更可能な専用部品とすることで、いかなる形状の部材も取付可能な係止具として機能させつつ、弾性係合体１２０を共通部品として使用可能に構成されている。これにより、係止具１００としての用途範囲を拡大させつつ、金型作製費用等のコスト低減が図られる。
また、このような表面角度の異なる化粧パネル９を、一種類の係止具本体１１０からなる係止具１００を用いて固定すると、頭部１１１が化粧パネル９表面から不揃いに突出して美観を損なうことになるが、本実施形態の係止具１００は化粧パネル９の表面角度に応じて頭部１１１の角度が設定されているため、化粧パネル９の表面に凹凸が生じない滑らかな湾曲面とすることができる。
【００３３】
ところが、このような頭部１２１の形状の異なる係止具本体１１０ａ〜１１０ｄと同一形状の弾性係合体１２０とを組合せた係止具１００Ａ〜１００Ｄは、一見すると識別し難く、複数の固定箇所（孔部９１）と係止具１００Ａ〜１００Ｄとの対応関係が不明確となり、化粧パネル９の組立時に誤組立を生じさせるおそれがある。
そこで、本実施形態では、係止具本体１１０ａ〜１１０ｄの種類毎に異なる色（例えば、黄、グレー、白、青）の弾性係合体１２０を装着することにより、弾性係合体１２０の色にもとづいて係止具本体１１０ａ〜１１０ｄの種類を識別可能にしている。
このようにすると、係止具本体１１０ａ〜１１０ｄの種類を目視で容易に識別できるだけでなく、誤組立を防止することができる。
【００３４】
図１０は、本発明の実施形態に係る固定部材の孔部３０１を示す図であり、（ａ）は、孔部の正面図、（ｂ）は、孔部のＡ−Ａ断面図、（ｃ）は、孔部のＢ−Ｂ断面図である。
この図に示すように、固定部材３００の孔部３０１は、爪部１２１の貫通を許容する左右一対の爪部貫通孔３０２と、左右一対の爪部貫通孔３０２間に形成され、ネジ材２００の挿入を許容するネジ挿入孔３０３とを備えており、このネジ挿入孔３０３を介して軸部１１２の螺入孔１１４にネジ材２００を螺入することにより、係止具１００が固定部材３００に固定されるようになっている。
【００３５】
また、固定部材３００の孔部３０１には、係止具本体１１０の回転規制部１１５、１１６と係合する溝部３０４ａ，３０４ｂが形成されている。係止具本体１１０の回転規制部１１５、１１６は、軸部１１２の軸方向に沿って突出形成されるリブであり、該リブが固定部材３００の溝部３０４ａ，３０４ｂに係合することにより、ネジ材２００の螺入による係止具１００の回転を規制するとともに、固定部材３００に対する係止具１００の取付角度位置を位置決めするようになっている。
【００３６】
本実施形態では、軸部１１２の上下に回転規制部１１５、１１６を形成するにあたり、上側回転規制部１１５の突出寸法と、下側回転規制部１１６の突出寸法を相違させるとともに、孔部３０１における上側溝部３０４ａ及び下側溝部３０４ｂの形状（溝の深さ）も各回転規制部１１５、１１６の突出寸法に対応させている。
このようにすると、係止具１００を上下反転状態で固定部材３００の孔部３０１に取り付けようとしても、突出寸法の長い回転規制部１１５が引っ掛かり、係止具１００の取り付けを規制するので、係止具１００の誤組立を防止することが可能になる。
【００３７】
つぎに、係止具１００の取り付け手順及び取り外し手順について、図１１及び図１２を参照して説明する。
図１１は、本発明の実施形態に係る固定部材の孔部に係止具を取り付けた状態を示す図であり、（ａ）は、孔部及び係止具の裏面図、（ｂ）は、孔部及び係止具のＡ−Ａ断面図、（ｃ）は、孔部及び係止具のＢ−Ｂ断面図である。
係止具１００を固定部材３００の孔部３０１に取り付ける場合は、まず、固定部材３００に化粧パネル９を重ね合わせるとともに、化粧パネル９の孔部９１を介して、弾性係合体１２０が装着された係止具本体１１０の軸部１１２を固定部材３００の孔部３０１に遊技者側から押し込む。
係止具本体１１０の軸部１１２を固定部材３００の孔部３０１に押し込むと、弾性係合体１２０の爪部１２１が、固定部材３００の孔部３０１（爪部貫通孔３０２）を変形状態で通過するとともに復元状態で固定部材３００に裏側から係合する。これにより、係止具１００が仮止め状態となる。
なお、図１１（ｃ）の爪部拡大図に示すように、爪部１２１における固定部材３００裏側との対向面にテーパ部１２１ａを形成してある。これにより、外部から（例えば化粧パネル９側から）係止具１００に引き抜き力が作用すると、爪部１２１がこのテーパ部１２１ａによって内側に撓み、固定部材３００裏側との係合を容易に解除できるようになっている。
【００３８】
つぎに、ネジ材２００を固定部材３００の裏側から軸部１１２の螺入孔１１４に螺入し、係止具１００を固定部材３００に固定する。
ネジ材２００は、平ワッシャ（フランジ）２０１を備えており、この平ワッシャ２０１が左右の爪部１２１間に入り込むことにより、爪部１２１の係合解除方向の弾性変形を阻止するようになっている。
このようにすると、外部から（例えば化粧パネル９側から）係止具１００に強い引き抜き力が作用したとしても、爪部１２１の係合状態を維持してネジ材２００の締結強度を補うことができるので、係止具１００の不正な取り外しを防止することが可能になる。
この状態では、係止具１００の頭部１１１が外部に露出するとともに、化粧パネル９が係止具１００を介して前扉１ａ（固定部材３００）に取り外し不能に固定される。
【００３９】
図１２は、本発明の実施形態に係る係止具の取り外し方法を示す図であり、（ａ）は、孔部及び係止具の裏面図、（ｂ）は、ネジ材を緩めた状態を示すＡ−Ａ断面図、（ｃ）は、ネジ材を前方に押圧して爪部の係合を解除した状態を示すＡ−Ａ断面図、（ｄ）は、ネジ材をさらに前方に押圧して爪部が爪部貫通孔を通過した状態を示すＡ−Ａ断面図である。
リサイクルなどに際して係止具１００を取り外す場合は、まず、ネジ材２００を緩め、平ワッシャ２０１を爪部１２１と干渉しない位置まで後退させる（図１２（ｂ）参照）。これにより、爪部１２１の係合解除方向への弾性変形が許容される。
つぎに、ネジ材２００を前方へ押圧操作する（例えば、ドライバで押し込む）と、テーパ部１２１ａが固定部材３００裏側から抗力を受け、この裏側に摺接しながら、爪部１２１を内側に撓ませる。その結果、爪部１２１と固定部材３００との係合が解除され、係止具１００が前方に飛び出す（図１２（ｃ）参照）。
さらに、ネジ材２００を前方へ押圧操作すると、爪部１２１が爪部貫通孔３０２を通過した状態となり（図１２（ｄ）参照）、その後、ネジ材２００を緩めれば、ネジ材２００から係止具１００が分離し、係止具１００の取り外しが完了する。
このようにすると、ネジ材２００を係合解除具として機能させ、係止具１００を容易に取り外すことが可能になる。
【００４０】
以上のように構成された本実施形態によれば、所定の係止具１００を所定の固定部材３００に形成された孔部３０１に取り付ける係止具取付構造であって、係止具１００は、押し込み操作される頭部１１１と孔部３０１を貫通する軸部１１２とが形成された係止具本体１１０と、孔部３０１を変形状態で通過するとともに復元状態で固定部材３００に裏側から係合する爪部１２１が形成された弾性係合体１２０と、を備え、弾性係合体１２０は、軸部１１２に着脱可能に装着されるので、固定部材３００に裏側から係合して係止具１００を仮止め可能にする爪部１２１を備えるものでありながら、爪部１２１の弾性を確保しつつ任意の材質で係止具本体１１０を形成することができ、係止具本体（頭部１１１）の外観意匠を向上させることができる。
【００４１】
また、弾性係合体１２０は、軸部１１２を把持可能に環状に形成され、弾性変形により係止具本体１１０に着脱されるので、ネジなどの結合部材を用いる場合に比べて構造の簡略化や部品点数の削減が可能になる。
【００４２】
以上、本発明について、実施形態を示して説明したが、本発明は、上述した実施形態にのみ限定されるものではなく、特許請求の範囲内で種々の変更が可能であることは言うまでもない。
例えば、係止具１００の誤組立を防止するにあたり、上側回転規制部１１５の突出寸法と、下側回転規制部１１６の突出寸法を相違させたが、周方向における突出位置を非対称にして相違させてもよい。
また、本実施形態では、係止具取付構造を化粧パネル９の取り付けに適用したが、基板ケース（制御部３０など）、ドラムユニット２などその他の部品の取り付けにも適用できる。
また、本実施形態では、係止具としての機能性を優先すべく、固定部材３００に取り付ける部材（化粧パネル９）の形状（表面角度）に応じて、裏面角度の異なる複数種類の頭部１１１を形成したが、意匠性を優先して、例えば、本実施形態で適用した円形状のほか、三角や四角、星形などの複数種類の頭部１１１を形成してもよい。
【産業上の利用可能性】
【００４３】
本発明は、所定の係止具を所定の固定部材に形成された孔部に取り付ける係止具取付構造に適用することができ、特に、係止具の一部を外部に露出させる係止具取付構造を有する遊技機に好適である。
【符号の説明】
【００４４】
１      スロットマシン
９      化粧パネル（板状部材）
９１    孔部（止め孔部）
１００  係止具
１１０  係止具本体
１１１  頭部
１１２  軸部
１１３  凹部
１１４  螺入孔
１１５  回転規制部
１１６  回転規制部
１２０  弾性係合体
１２１  爪部
１２２  把持部
１２３  凸部
２００  ネジ材
２０１  平ワッシャ
３００  固定部材
３０１  孔部
３０２  爪部貫通孔
３０３  ネジ挿入孔
３０４  溝部
【図１】
2011217917.tif 000003
【図２】
2011217917.tif 000004
【図３】
2011217917.tif 000005
【図４】
2011217917.tif 000006
【図５】
2011217917.tif 000007
【図６】
2011217917.tif 000008
【図７】
2011217917.tif 000009
【図８】
2011217917.tif 000010
【図９】
2011217917.tif 000011
【図１０】
2011217917.tif 000012
【図１１】
2011217917.tif 000013
【図１２】
2011217917.tif 000014